(57)【要約】【課題】  軽量で頭部に装着した際の違和感がなく、激しい運動や衝撃、振動等によっても眼鏡を確実に頭部に保持、固定でき、さらに種々タイプの眼鏡フレームの耳掛けつる部にも対応できるようにした眼鏡保持具を提供する。【解決手段】  耳掛けつる部の端部が圧入される一対の弾性筒状部２，３と、基端部がそれぞれ弾性筒状部に連結される一対のワイヤ部材４，５と、ワイヤ部材がそれぞれ所定の摩擦力をもってスライド可能に嵌挿される１個の駒部材６と、各々のワイヤ部材の先端に固着された抜止め部材７，８とを有し、駒部材はワイヤ部材の伸長方向に沿って２体の分割形態に形成されており、かつ駒部材の分割面に各々のワイヤ部材を嵌挿する一対の弾性合成樹脂製チューブ部材１８，１９が保持され、弾性筒状部はねじ係合手段でワイヤ部材側と連結され、その螺合解除でワイヤ部材側に対し弾性筒状部のみを交換できる構造となっている。【選択図】  図１
2020060728.tif 000002
【特許請求の範囲】
【請求項１】
眼鏡の耳掛けつる部に嵌合され、眼鏡着用者の頸部近傍の後頭部に掛け渡される眼鏡保持具であって、
前記耳掛けつる部の端部が圧入される一対の弾性筒状部と、
基端部がそれぞれ前記弾性筒状部に連結される一対のワイヤ部材と、
前記ワイヤ部材がそれぞれ所定の摩擦力をもってスライド可能に嵌挿される１個の駒部材と、
各々の前記ワイヤ部材の先端に固着された抜止め部材と、
を有し、前記駒部材は前記ワイヤ部材の伸長方向に沿って２体の分割形態に形成されており、かつ前記駒部材の分割面に各々の前記ワイヤ部材を嵌挿する一対の弾性合成樹脂製チューブ部材が保持され、分割された前記駒部材の半体どおしを前記分割面で接合することで前記弾性合成樹脂製チューブ部材が前記駒部材の内部に埋設されることを特徴とする眼鏡保持具。
【請求項２】
前記一対のワイヤ部材を前記駒部材に対して互いに逆方向に１００ｍｍ／ｍｉｎ．の速度で同時に引張ったときの全体の引張力が２．０Ｎ〜３．５Ｎとなるように前記ワイヤ部材と前記弾性合成樹脂製チューブ部材との関係が設定されていることを特徴とする請求項１に記載した眼鏡保持具。
【請求項３】
前記ワイヤ部材の前記基端部に第１の硬質部材が連結され、前記弾性筒状部の端部に第２の硬質部材が固着され、前記第１の硬質部材および前記第２の硬質部材には互いにねじ係合するねじ部が形成され、前記ねじ部の螺合解除によって前記弾性筒状部が前記ワイヤ部材に対して交換可能とされていることを特徴とする請求項１または２に記載した眼鏡保持具。
【発明の詳細な説明】
【技術分野】
【０００１】
本発明は、眼鏡着用者の顔面から眼鏡がずれ落ちないように眼鏡を保持する眼鏡保持具、特に、眼鏡つる部と係合する弾性筒状部をワイヤ部材に対して交換可能とすることで種々の形状をもつ眼鏡つる部にも対応可能とし、また、簡単かつ有効に長さの調整を行い得るようにした眼鏡保持具に関する。
【背景技術】
【０００２】
一般に眼鏡フレームは一対のレンズの外端から耳側へ向ってのびる硬質の細枠部材を備え、この細枠部材の先端部分が眼鏡着用者の耳の付根に沿って折曲ないしわん曲し、この部分を頭部と耳の根元部との間に挟み込んで眼鏡を保持する。ここでは前記細枠部材を眼鏡の「耳掛けつる部」と称することとするが、この耳掛けつる部の先端（後端）は単に耳の付根裏側に挟み込むだけであるため、着用状態で頭部を激しく動かしたりすると、眼鏡がずれたり、場合によっては外れ落ちたりすることがある。特に、激しい運動をするスポーツ選手等では運動中に眼鏡がずれないように気を使わなければならず、万一外れ落ちたりすると危険な事故となる。
【０００３】
このような事故をなくすために従来から眼鏡の一対の耳掛けつる部を眼鏡着用者の頭部背側できつく連結し、眼鏡のずれ落ちを防止するようにした眼鏡固定具が提案されている。
一方、人によっては必要な時のみ眼鏡を着用し、不要な時には眼鏡を外して卓上に置いたり、しまい込んだりすることがあり、外した眼鏡を置き忘れるなど紛失してしまうことがある。これを防止するため、眼鏡のつる部に長い紐状の部材を取り付け、この紐を頸の背側へ掛け渡し、外した眼鏡をこの紐部材によって顎の下側〜胸元へ垂下させておくようにしたものも実際に存在している。
【先行技術文献】
【特許文献】
【０００４】
【特許文献１】実用新案登録第３１９９２５７号公報
【特許文献２】特開２０１４−８１４６０号公報
【特許文献３】特開２０１３−２０１０２号公報
【特許文献４】実用新案登録第３１７４８２５号公報
【特許文献５】実用新案登録第３０１９７０９号公報
【特許文献６】米国特許第８５２３３５０Ｂ２号明細書
【発明の概要】
【発明が解決しようとする課題】
【０００５】
特許文献１に係る眼鏡保持具は、眼鏡の両側の耳掛けつる部を一対のワイヤ部材で連結し、この一対のワイヤ部材および駒部材から成るワイヤ構造部の長さを手動で変え得るようにしたものである。軽量で眼鏡着用者の後頭部〜頸部に掛け渡すワイヤ構造部の長さ調整も容易であり、頭部の激しい動きに対して眼鏡のずれや脱落を防止できる上で有用であるが、ワイヤ部材を手動で長さ調整する場合のワイヤ部材と駒部材との間に生じる摩擦力を最適にするための摩擦力付与手段の点で問題があった。また、眼鏡の耳掛けつる部の端部を圧入する眼鏡保持具の両端の弾性筒状部も、種々の形状、大きさの耳掛けつる部に対応できるようにする構造については改善の余地があり、また前記耳掛けつる部の圧入が容易で、確実に耳掛けつる部を保持できるようにする点でも若干改善の余地があった。
【０００６】
特許文献２に記載の眼鏡固定具は、頭部背側に接当する帯状固定部材が偏平巾広の部材であって、その両端部を眼鏡本体部から左右にのびた偏平なテンプル部に連結する構造のため、市販の種々な形態の眼鏡にそのまま適用することはできない。また、この構造の固定具は長さの調節が有段、例えば３段階の長さ調整であり、子供から大人まであらゆる人に適用できるように無段階に細かく調節できるようにはなっていない。
【０００７】
特許文献３の眼鏡保持用治具は、鼻パッドの無い眼鏡を頭部の背面で眼鏡の両端のテンプル部をつなぐようにしたものであり、スポーツ時など激しい運動や振動、衝撃の際にずれ落ちるおそれがある。
【０００８】
特許文献４に記載の眼鏡および眼鏡セットは、眼鏡の前面側に偏った重量の過半量を頭部背側へかかるように重量配分して眼鏡が顔の前面下方へずれ下がるのを防止した構造であり、耳掛けフレーム即ち耳掛けつる部に連結される頭部背側の伸長部材を長さ調整して頭部に締め付けるという構造ではない。
【０００９】
さらに特許文献５の眼鏡保持紐は編み紐の伸縮性を利用して頭部背頸部に締め付けるものであり、紐自体に長さ調整機能を付加したものではなく、長期使用によって紐自体が劣化するおそれがある。なお、特許文献２〜４のものは、いずれも眼鏡の頭部への固定のみを目的としたものであり、眼鏡の紛失や置き忘れ防止のための眼鏡吊下げの機能は有していない。
【００１０】
特許文献６に示される関節接合形眼鏡保持システムは、眼鏡フレームのテンプル端部を嵌挿する弾性チューブを、後頭部に掛け渡されるケーブルに対して交換可能としたものであり、テンプル挿入孔の孔形の異なる弾性チューブを眼鏡フレームのテンプルの大きさや形状に応じて選定できるようにした構造が示されている。この構造にあっては、弾性チューブとケーブルの結合、離脱形態は、チューブ後端に固着した硬質の球状部とケーブル端部に固着した硬質ソケット部との強制圧入嵌合、強制離脱の構造を採用している。しかしこの構造は、小さな硬質球状部と硬質ソケット部との圧入嵌合、外力による強制離脱の手動操作に大きな力を要し、簡単、迅速に嵌合、離脱ができず、操作性の点で問題があった。なお、この特許においては、前記ケーブルの長さ調整機構について何ら開示されていない。
【００１１】
本発明は、軽量で頭部に装着した際の違和感がなく、激しい運動や衝撃、振動等によっても眼鏡を確実に頭部に保持、固定できる眼鏡保持具を提供することを目的とする。
【００１２】
本発明はまた、眼鏡着用者の後頭部に掛け渡される２本の対となったワイヤ部材の長さ調整に際して、適切な摩擦力を有して一対のワイヤ部材をスライドさせて長さの調節ができ、着用者の頭部のサイズや形状に簡単に合せることができ、さらに各種仕様、形状の市販の眼鏡にも適用できる眼鏡保持具を提供することを目的とする。
【００１３】
本発明はさらに、後頭部に掛け渡されるワイヤ部材の長さ調整が可能な眼鏡保持具において、眼鏡の耳掛けつる部を挿入する弾性筒状部を、後頭部に掛け渡されるワイヤ部材に対して簡単に、かつ何ら大きな力あるいは工具類を必要とせずに係合、分離し得、前記弾性筒状部のみを交換可能とし、これによって種々形状の眼鏡フレームの耳掛けつる部にも対応できるようにした眼鏡保持具を提供することを目的とするものである。
【００１４】
本発明はまた、前記ワイヤ部材に対して最適な摺動摩擦力を容易に付与することができ、煩雑な摩擦力調整作業を経ることなく容易に製造できる眼鏡保持具を提供することを目的とする。
【００１５】
本発明はさらに、眼鏡を顔面に固定するだけでなく、必要に応じて眼鏡を着用者の顎の下方や胸元に頸から吊り下げておくことができ、これによって眼鏡の置き忘れや紛失の防止に役立つ眼鏡保持具を提供することを目的とする。
【課題を解決するための手段】
【００１６】
本発明によれば、眼鏡の耳掛けつる部に嵌合され、眼鏡着用者の頸部近傍の後頭部に掛け渡される眼鏡保持具であって、前記耳掛けつる部の端部が圧入される一対の弾性筒状部と、基端部がそれぞれ前記弾性筒状部に連結される一対のワイヤ部材と、前記ワイヤ部材がそれぞれ所定の摩擦力をもってスライド可能に嵌挿される１個の駒部材と、各々の前記ワイヤ部材の先端に固着された抜止め部材と、を有し、前記駒部材は前記ワイヤ部材の伸長方向に沿って２体の分割形態に形成されており、かつ前記駒部材の分割面に各々の前記ワイヤ部材を嵌挿する一対の弾性合成樹脂製チューブ部材が保持され、分割された前記駒部材の半体どおしを前記分割面で接合することで前記弾性合成樹脂製チューブ部材が前記駒部材の内部に埋設されることを特徴とする眼鏡保持具が提供される。
【００１７】
本発明のひとつの形態によれば、前記一対のワイヤ部材を前記駒部材に対して互いに逆方向に１００ｍｍ／ｍｉｎ．の速度で同時に引張ったときの全体の引張力が２．０Ｎ〜３．５Ｎとなるように前記ワイヤ部材と前記弾性合成樹脂製チューブ部材との関係が設定されている。
【００１８】
本発明の他の形態によれば、前記ワイヤ部材の前記基端部に第１の硬質部材が連結され、前記弾性筒状部の端部に第２の硬質部材が固着され、前記第１の硬質部材および前記第２の硬質部材には互いにねじ係合するねじ部が形成され、前記ねじ部の螺合解除によって前記弾性筒状部が前記ワイヤ部材に対して交換可能とされている。
【発明の効果】
【００１９】
本発明に係る眼鏡保持具によれば、軽量でかつ簡単に既存の眼鏡に装着でき、スポーツ運動時など強い振動や衝撃が頭部に作用しても眼鏡のずれや脱落を防止できる。また、ワイヤ部材に対して適切な摩擦力を有して全体の長さ調整が簡単にでき、着用者の頭部に合せた装着ができる。
【００２０】
さらに本発明に係る眼鏡保持具は、眼鏡の固定だけでなく、眼鏡の非使用時にも眼鏡を使用者の顎下や胸元に吊り下げておくことができ、例えば卓上に置いた眼鏡の置き忘れや紛失を防止できる。
【００２１】
この種の眼鏡保持具においては、頭部背側に掛け渡すワイヤ部材を適切な摩擦力をもって長さ調整できることが必要であり、この摩擦力が弱すぎるとワイヤ部材が頭部からずれ下がり、強すぎると長さの調整がスムーズにできなくなるが、本発明においてはワイヤ部材と駒部材との間に設けられた摩擦力付与手段により、常に適切な摩擦力が容易に得られる。
【００２２】
また本発明においては、眼鏡フレームの耳掛けつる部の端部に挿入する弾性筒状部に対し、後頭部に掛け渡すワイヤ部材を工具類などを用いずに容易に係着、離脱することができ、種々形状の眼鏡（フレーム）に対して弾性筒状部のみを交換でき、汎用性の高い眼鏡保持具が得られる。特に本発明に係る眼鏡保持具は、この保持具を眼鏡着用者の後頭部に掛け渡した状態で着用者本人が簡単にワイヤ部材の長さ調節ができ、装着している時の周囲状況や着用者のその時々の行動状況に応じて迅速に全体の長さ調節ができる。
【図面の簡単な説明】
【００２３】
【図１】本発明の実施例１に係る眼鏡保持具の全体側面図である。
【図２】本発明の実施例に係る眼鏡保持具を眼鏡着用者の頸部近傍の後頭部に掛け渡して眼鏡を固定したときの状態を示す図である。
【図３】図１に示す実施例１の弾性筒状部とワイヤ部材との連結部の構造を示す部分的な縦断面図である。
【図４】本発明に係る眼鏡保持具の駒部材とワイヤ部材および弾性樹脂製チューブ部材の係合状態を示した駒部材分割面の平面図である。
【図５】図４のＡ−Ａ線に沿った横断面図である。
【図６】本発明の実施例２に係る眼鏡保持具のワイヤ部材端部に固着されるねじ溝付き硬質部材（図６（ａ））および眼鏡の耳掛けつる部が圧入される弾性筒状部（同図（ｂ））の縦断面図である。
【図７】本発明の実施例２に適用される弾性筒状部部の他の種類の形態を示す縦断面図である。
【図８】本発明の実施例２に係る眼鏡保持具の弾性筒状部とワイヤ部材との連結部分を示す側面図である。
【発明を実施するための形態】
【００２４】
次に、本発明を、図面を参照しつつ、各種の実施例について説明する。
（実施例１）
図１に示す如く、本実施例１の眼鏡保持具１は、眼鏡フレームの両先端、つまり眼鏡フレームの耳掛けつる部の端部を圧入する一対の弾性筒状部２，３と、各弾性筒状部２，３から伸長し、かつ眼鏡着用者の後頭部に掛け渡される一対のワイヤ部材４，５と、各ワイヤ部材が所定の摩擦力をもってスライド可能に挿通される１個の駒部材６（楕円形塊片部材）とを有して構成されている。各々のワイヤ部材４，５の先端部にはワイヤ部材が駒部材６から抜け外れるのを防止する抜止め部材７，８が固着されている。
【００２５】
両側の弾性筒状部２，３を互いに離れる方向（図１矢印Ａ方向）に手動で引き出すことにより、眼鏡保持具１の全長Ｌが長くなり、一対のワイヤ部材４，５の各先端に固着した抜止め部材７，８を互いに離れる方向（矢印Ｂ方向）に手動で引張ることにより、眼鏡保持具１の全長Ｌは短くなる。後述するように、各ワイヤ部材４，５と駒部材６との間には一定の摩擦力が作用しており、前述のＡ方向あるいはＢ方向の引き出し量を変えることで眼鏡保持具１の長さ調節が可能である。なお、両側の弾性筒状部２，３を引き出してワイヤ部材先端の各抜止め部材７，８が駒部材６に接当した状態で眼鏡保持具１の全長Ｌは最大となる。
【００２６】
図２は本発明に係る眼鏡保持具１を用いて眼鏡１０を眼鏡着用者の頸部近傍の後頭部の部分で固定した状態を示した図である。また、図３は実施例１における弾性筒状部とワイヤ部材との連結部の構造を示したものである。図１〜図３を参照すれば、眼鏡１０の耳掛けつる部２６の先端を眼鏡保持具１の弾性筒状部２，３の穴１５（図３）に深く嵌挿ないし圧入し、眼鏡１０を掛けた状態で、両弾性筒状部２，３間のワイヤ部材４，５を背側の頸部〜後頭部２７へ掛け渡すとともに、前述した方法でワイヤ部材４，５の長さを調節してワイヤ部材４，５を緊密に背側頭部（後頭部）に接当させることにより、眼鏡１０は着用者の頭部２８〜顔面に固定され、激しい動きによる振動や衝撃に対しても眼鏡がずれたり、外れ落ちたりするのが防止される。
【００２７】
次に、本実施例における眼鏡保持具の各部の具体的な構成およびワイヤ部材に対する弾性筒状部の交換形態について説明する。まず、駒部材を貫通するワイヤ部材の駒部材に対する摩擦力付与手段について、図４，図５を参照すれば、樹脂成形加工等で製作される駒部材６は、貫通するワイヤ部材４，５の伸長方向に沿って、かつ一対のワイヤ部材４，５を含む平面上でほぼ同形状の２体に分割されて形成され、組立状態ではこの分割面どおしが接合されて厚みのある偏平塊片状の小形の楕円形駒部材として構成されている。２体に分割された各駒部材半体９は、その各分割面に一対のワイヤ部材４，５を挿通ための平行な挿通溝１７と、該挿通溝１７と同心に一対の弾性合成樹脂製チューブ部材１９，１８を収容する２つの窪み部１６（図５）とが形成されている。図示のように窪み部１６は各挿通溝１７に１個づつ平行に形成されている。
【００２８】
２つの駒部材半体９どおしをその分割面で互いに接合したとき、両半体の挿通溝が向き合ってその中をワイヤ部材が挿通する挿通孔となり、また、窪み部１６も互いに向き合されて円筒形の窪み部となる。
２体の分割された駒部材半体９の分割面の窪み部１６に弾性合成樹脂製チューブ部材１８，１９を収容し、かつ各弾性合成樹脂製チューブ部材１８，１９にそれぞれワイヤ部材５，４を嵌挿し、かつ挿通溝１７に挿通した後、分割面どおしを合せるように駒部材半体９を接合することにより、弾性合成樹脂製チューブ部材１８，１９は駒部材６内に埋め込まれる。図４，図５に示す一方の分割面の小突起２３および他方の駒部材半体（図示せず）の小孔は分割面どおしを接合したときの位置決め用の係合手段であり、一方の分割面の小突起２３が他方の分割面の小孔と嵌合するようになっている。なお、図５においては、ワイヤ部材４，５は前記チューブ部材１８，１９に挿入された状態で実線で示したある。分割面どおしの接合に際しては、例えば適当な接着剤を用いて接合してもよい。前述したように弾性合成樹脂製チューブ部材１８，１９および前記挿通孔に挿入されたワイヤ部材５，４はワイヤ部材の引張り操作によりチューブ内を所定の摩擦力を有してスライドする。
【００２９】
駒部材とワイヤ部材との間の摩擦力を適切にする手段として、弾性樹脂材のチューブ部材１８，１９をシリコンゴム製チューブ部材とし、ワイヤ部材５，４をステンレス製ワイヤとしたとき、前記チューブ部材１８，１９の内径とワイヤ部材５，４の外径は略同等とされる。あるいは極く若干チューブ部材の内径の方がワイヤ部材の外径よりも小さくなるように形成される。具体的には、一例として樹脂被覆されたステンレス製ワイヤ部材の太さ（外径）を１．３ｍｍとしたとき、前記チューブ部材の内径はほぼ１．３ｍｍとされる（あるいは若干チューブ部材の内径を小さめにする）。この内外径の関係により、両者間に適切な摩擦力が生起され、眼鏡の耳掛けつる部を眼鏡保持具の弾性筒状部に圧入して眼鏡着用者の後頭部にワイヤ部材を掛け渡したとき、駒部材に対してワイヤ部材が緩むことなく眼鏡を確実に着用者の顔面〜頭部に保持できる。なお、このワイヤ部材とチューブ部材との摺動摩擦力の発生については、両部材の外径、内径以外にも材質等種々の要素が関係しており、これについてはさらに後述する。
【００３０】
前記ワイヤ部材と前記チューブ部材との間の摺動摩擦力は、眼鏡保持具の実際の使用状況において極めて重要な要素であり、これが緩すぎると、一対のワイヤ部材が使用中に駒部材から伸び出して眼鏡保持具が使用者の頭部から外れてしまう。逆に、前記摩擦力が強すぎると、手動操作による前記ワイヤ部材の長さ調整が困難となる。
ここで、前記駒部材と樹脂被覆したステンレス製ワイヤ部材との間の摺動摩擦力が最適と思われる眼鏡保持具を複数個選び、それぞれについて両部材（駒部材とワイヤ部材）間の具体的な摩擦力を検査した例を示すと、以下のとりである。  
【００３１】
検査はまず、一対のワイヤ部材の各先端に固着した抜止め部材が駒部材の両端に接当している状態（眼鏡保持具の全長が最大の状態）にして両側の抜止め部材を治具で掴み固定し、定速伸長形引張試験機を用いて両抜止め部材を１００ｍｍ／ｍｉｎ．の速度で同時に離間方向へ引張り（この引張りにつれて眼鏡保持具の全長は短くなる）、駒部材に対して両側の抜止め部材が動き始める際の値（引張力）を測定した。その結果、好ましい摩擦力と判断したサンプルＡでは、引張力２．９Ｎ（ニュートン）で駒部材に対して両ワイヤ部材が同時に動き始め、かつ移動中もほぼ同じ値を示した。好ましい摩擦力と判断した他のサンプルＢでは、引張力２．４Ｎで両ワイヤ部材が動き始め、かつ移動中も同じ値を示した。
【００３２】
摩擦力が適切であるとした複数の他のサンプルについても同様の試験を行った結果、本発明の眼鏡保持具では引張り強度２．０Ｎ〜３．５Ｎ、より好ましくは、２．２Ｎ〜３．０Ｎとなるようにワイヤ部材と弾性樹脂材のチューブ部材との関係を設定すれば、駒部材に対する両ワイヤ部材の良好な摩擦移動（両ワイヤ部材の同時移動）が得られることが判明した。なお、このような関係をもたらすには、必ずしもワイヤ部材、チューブ部材の外径、内径の関係だけでなく、ワイヤ部材の被覆材、被覆形態などにも関係する。
【００３３】
より具体的に例示すると、上記検査に供されたサンプルにおいては、ステンレス製ワイヤ部材（ＳＵＳ３０４）の実外径が１．００ｍｍ〜１．０１ｍｍ、樹脂被覆後の実外径が１．２９ｍｍ〜１．３０ｍｍである。また、被覆形態としては１２ナイロン黒艶消しコーティングのワイヤ部材である。弾性樹脂材のチューブ部材はシリコンゴム製チューブである。ワイヤ部材の表面被覆形態としては上記のほかに、微細螺旋模様被覆、梨地粗面被覆、光沢被覆その他種々の形態があり、それぞれ特有の摩擦力を示すが、いずれにしても駒部材に対するワイヤ部材の引張り移動力（引張力）を上記の範囲に設定することで両部材間の良好な摺動性が得られた。
【００３４】
（実施例２）
次に、本発明に係る眼鏡保持具の他の実施例について説明する。
既述したように、眼鏡の耳掛けつる部の端部が弾性筒状部の中空部に圧入されて眼鏡保持具に保持されるが、眼鏡の耳掛けつる部は眼鏡によって種々の形状、太さのものがあり、弾性筒状部の中空部の端部開口は必ずしもすべての形状、太さの耳掛けつる部に対応し得るとは限らない。弾性筒状部の端部開口〜中空部を大径とすると、耳掛けつる部の挿入は容易であるものの、充分な圧入形態とならず、耳掛けつる部がすぐ抜け出てしまう。逆に、弾性筒状部の端部開口および内部の中空部を小径とすると、眼鏡によってはフレームの耳掛けつる部を弾性筒状部へ圧入するのが難しくなる。そこで本発明の実施例２においては、ワイヤ部材に対して弾性筒状部を容易に係着、離脱できるようにし、種々の孔形をもつ弾性筒状部を予め複数用意しておき、種々の眼鏡フレームに対して眼鏡保持具の弾性筒状部を交換できるようにしたものである。
【００３５】
図６（ａ）を参照すれば、実施例２の弾性筒状部３０（同図（ｂ））に連結される側のワイヤ部材４の基端部４ａに第１の硬質樹脂部材（第１の硬質部材，ＡＢＳ）３１が抜去不能に連結されている。この第１の硬質部材３１は、全体としては略中空円錐形の部材であり、ワイヤ部材連結側と反対側の第１の硬質部材３１の端部は大径で、かつその内径部にねじ溝３２が形成されている。また、図６（ｂ）に示す弾性筒状部３０は眼鏡の耳掛けつる部が圧入される側と反対側の端部（先端）に第２の硬質部材（ＡＢＳ）３３が固着成形などの手段により固着されている。前記第２の硬質部材３３の先端外周部には第１の硬質部材３１の内径部ねじ溝３２と螺合するねじ部（雄ねじ部）３５が形成されている。
【００３６】
第１、第２の硬質部材３１，３３の螺合により、弾性筒状部３０はワイヤ部材４に連結され、手動による螺合解除により弾性筒状部３０はワイヤ部材４から離脱し、眼鏡の耳掛けつる部に合った他の種類の弾性筒状部と交換可能となる。第２の硬質部材３３を共通とし、図７のように耳掛けつる部が圧入される弾性筒状部の端部の穴１５の大きさ、形状が異なる弾性筒状部３６を複数用意しておくことで、種々の眼鏡フレームに対応した弾性筒状部を選択して簡単に取り付けることができる。なお、上述の実施例では第１の硬質部材の内径ねじ部に第２の硬質部材の先端外周部を螺入するようにしたが、これを逆にして第１の硬質部材の外周部にねじ部を形成し、第２の硬質部材の内径部にねじ溝を形成して両者を離脱可能に螺合するようにしてもよい。図８は上述のようにして第１の硬質部材３１と弾性筒状部３６の第２の硬質部材３３を螺合連結した状態の側面図であり、前記ワイヤ部材に対して弾性筒状部３６を螺合解除方向に手動で回転させることにより、ワイヤ部材に対して簡単に弾性筒状部を取り外せる。
【００３７】
次に、ワイヤ部材と弾性筒状部との連結構造、およびワイヤ部材と第１の硬質部材との連結構造について説明する。図３は先に述べた実施例１の場合の弾性筒状部を直接ワイヤ部材に連結する形態を例示した図であり、図６（ａ）は前述した実施例２の弾性筒状部３０を交換可能とした場合のワイヤ部材４と第１の硬質部材３１との連結構造を示す図である。この実施例では、両形態とも同じ連結手段が用いられている。具体例を示すと、図３の例では、弾性筒状部２の小径孔１１に挿入されるワイヤ部材４の端部（基端部）に金属小片等から成るストッパ部材１２がカシメ固定され、このストッパ部材１２に接当して前記小径孔よりも大径の丸玉部材１３がワイヤ部材４に装着されている。ストッパ部材１２は丸玉部材１３の抜止めの機能を果たすものである。弾性筒状部２の外端開口部から該筒状部の小径孔に挿入されたワイヤ部材４は、ワイヤ部材端部の丸玉部材１３が筒状部内部の大径中空部（耳掛けつる部を圧入する穴１５）と小径孔１１との間の段差部１５ａに係合することにより、弾性筒状部２の小径孔１１からのワイヤ部材４の抜け出しが阻止される。図６（ａ）の第１の硬質部材３１とワイヤ部材４との連結も基本的には同様の構造が採用可能であり、図示するだけにとどめ、重複した詳細な説明は省略する。図６（ａ）の１４は図３の丸玉部材１３に相当し、ストッパ部材１２によってワイヤ部材４からの抜け止めがなされている。なお、ワイヤ部材の先端部と抜止め部材との連結構造も同様の方法で連結することができる。
【００３８】
以上は眼鏡を頭部に固定する場合であるが、本発明に係る眼鏡保持具１は眼鏡の置き忘れ防止、あるいは紛失防止用としても使用可能である。この場合は、眼鏡の耳掛けつる部に保持具１の弾性筒状部２，３を嵌挿させた状態で一対の弾性筒状部を外方へ引張ることにより、一対のワイヤ部材を互いに外方へ変位させ、これによって弾性筒状部間の距離を最大とし、ワイヤ部材４，５を頭部の背側あるいは頸部に掛け渡し、眼鏡本体部を着用者の顎部の下方、胸元へ垂下させることにより、眼鏡の非使用時に眼鏡を着用者に対して保持状態にすることができ、これによって眼鏡の置き忘れや紛失を防止できる。
【００３９】
以上説明したように本発明に係る眼鏡保持具の弾性筒状部は、変形可能なゴム様の弾性体で形成されているので、市販の眼鏡の耳掛けつる部の形状が多少異なるものに対しても充分な固着力をもって耳掛けつる部を弾性筒状部に嵌合させることができる。眼鏡の耳掛けつる部は、ほぼ平行に離間した２本のワイヤ構造体で頭部背側の頸部に拘束されるので、衝撃や振動を受けても眼鏡がずれたり、外れ落ちたりすることはない。眼鏡保持具の各部は特別大きな重量をもつ部材ではなく、全体として極めて軽量であり、装着しているときの違和感もなく、また全体として細いワイヤ部材で頭部下側を固定する構造のため、外部に目立つことはない。因みに樹脂被覆したワイヤ部材の線径は１．３ｍｍ程度であり、特別目立つものではなく、取付け、取外しの操作も簡単であり、全体の長さ調整も容易である。
【符号の説明】
【００４０】
１  眼鏡保持具
２，３  弾性筒状部
４，５  ワイヤ部材
６  駒部材
７，８  抜止め部材
９  駒部材半体
１０  眼鏡
１３，１４  抜止め部材
１５  耳掛け筒状部の圧入穴
１７  挿通溝
１８，１９  弾性合成樹脂製チューブ部材
【図１】
2020060728.tif 000003
【図２】
2020060728.tif 000004
【図３】
2020060728.tif 000005
【図４】
2020060728.tif 000006
【図５】
2020060728.tif 000007
【図６】
2020060728.tif 000008
【図７】
2020060728.tif 000009
【図８】
2020060728.tif 000010